(57)【特許請求の範囲】
【請求項１】
キーホルダーに備えられている鍵挿通用環体への鍵の着脱の際に使用する鍵挿通用補助具において、
把持部を備える平板部材の一端側に、前記鍵挿通用環体の端部に係入される幅狭で薄肉な係入部を設け、該平板部材の該係入部と前記把持部との間に、前記鍵挿通用環体の端部を所定の開き状態で保持する一側部側から前記係入部方向に向かって斜めに形成された案内溝を有する開状態保持部を設けたことを特徴とする鍵挿通用補助具。
【請求項２】
前記開状態保持部は、
前記鍵挿通用環体に前記係入部を配置した状態で当接する、曲面で形成した回転補助面と、
前記鍵挿通用環体の一部が通過配置される所定形状の溝部と、
前記鍵挿通用環体に係止配置される係止部と、
を有することを特徴とする請求項１に記載の鍵挿通用補助具。
【請求項３】
前記回転補助面から前記溝部略底面側までの距離及びこの溝部の幅寸法で前記鍵挿通用環体端部の開き状態を設定することを特徴とする請求項２に記載の鍵挿通用補助具。
【請求項４】
キーホルダーに備えられている鍵挿通用環体の端部に係入される、把持部を備える平板部材の一端側に設けられた係入部と、該平板部材の該係入部と前記把持部との間に設けられ前記鍵挿通用環体の端部を所定の開き状態で保持する斜めに形成された案内溝を有する開状態保持部とを備え、
前記開状態保持部が、前記鍵挿通用環体に前記係入部を配置した状態で当接する、前記平板部材に曲面で形成した回転補助面と、前記鍵挿通用環体の一部が通過配置される所定形状の溝部と、前記鍵挿通用環体に係止配置される係止部とを有する鍵挿通用補助具を用いた鍵の着脱方法において、
前記鍵挿通用環体の端部へ前記係入部を係入する工程と、
前記鍵挿通用環体の前記端部に係入された前記鍵挿通用補助具をその係入状態から前記回転補助面に沿わせて反転させる工程と、
反転した前記鍵挿通用補助具の前記係止部を前記鍵挿通用環体に係止させて前記鍵挿通用環体の端部を所定開状態で保持する工程と、
を有することを特徴とする鍵挿通用補助具を用いた鍵の着脱方法。
【発明の詳細な説明】
【０００１】
【発明の属する技術分野】
本発明は、キーホルダーを構成する２重リング状の鍵挿通用環体への鍵の着脱を行う際に使用する鍵挿通用補助具及びその鍵挿通用補助具を用いた鍵の着脱方法に関する。
【０００２】
【従来の技術】
従来より、１つ又は複数の鍵を取り付ける道具として様々なキーホルダーが利用されている。中でも、略螺旋形状部材を密着させるように構成した２重リング状の鍵挿通用環体を備えたキーホルダーは一度挿通させた鍵が脱落し難いことから人気が高く、現在、多くの人々に愛用されている。
【０００３】
【発明が解決しようとする課題】
しかしながら、 前記キーホルダーでは鍵挿通用環体への鍵の着脱が難しく。鍵を取り付ける際、或いは、取り外す際に爪を傷めてしまったり、工具を用いて鍵挿通用環体の端部を押し広げることによって、前記端部が元の状態に復元しなくなる等の不具合が生じるおそれがあった。
【０００４】
本発明は上記事情に鑑みてなされたものであり、２重リング状の鍵挿通用環体への鍵の取付け、及びこの鍵挿通用環体からの鍵の取り外しを、鍵挿通用環体を傷つけることなく容易に行える鍵挿通用補助具及びその鍵挿通用補助具を用いた鍵の着脱方法を提供することを目的にしている。
【０００５】
【課題を解決するための手段】
本発明の鍵挿通用補助具は、キーホルダーに備えられている鍵挿通用環体への鍵の着脱の際に使用する鍵挿通用補助具において、
把持部を備える平板部材の一端側に、前記鍵挿通用環体の端部に係入される幅狭で薄肉な係入部を設け、該平板部材の該係入部と前記把持部との間に、前記鍵挿通用環体の端部を所定の開き状態で保持する一側部側から前記係入部方向に向かって斜めに形成された案内溝を有する開状態保持部を設けている。
【０００６】
前記開状態保持部は、前記鍵挿通用環体に前記係入部を配置した状態で当接する、曲面で形成した回転補助面と、前記鍵挿通用環体の一部が通過配置される所定形状の溝部と、前記鍵挿通用環体に係止配置される係止部とを有している。
【０００７】
そして、前記回転補助面から前記溝部略底面側までの距離及びこの溝部の幅寸法で前記鍵挿通用環体端部の開き状態を設定している。
【０００８】
本発明の鍵挿通用補助具を用いた鍵の着脱方法は、キーホルダーに備えられている鍵挿通用環体の端部に係入される、把持部を備える平板部材の一端側に設けられた係入部と、該平板部材の該係入部と前記把持部との間に設けられ前記鍵挿通用環体の端部を所定の開き状態で保持する斜めに形成された案内溝を有する開状態保持部とを備え、
前記開状態保持部が、前記鍵挿通用環体に前記係入部を配置した状態で当接する、前記平板部材に曲面で形成した回転補助面と、前記鍵挿通用環体の一部が通過配置される所定形状の溝部と、前記鍵挿通用環体に係止配置される係止部とを有する鍵挿通用補助具を用いた鍵の着脱方法において、
前記鍵挿通用環体の端部へ前記係入部を係入する工程と、
前記鍵挿通用環体の前記端部に係入された前記鍵挿通用補助具をその係入状態から前記回転補助面に沿わせて反転させる工程と、
反転した前記鍵挿通用補助具の前記係止部を前記鍵挿通用環体に係止させて前記鍵挿通用環体の端部を所定開状態で保持する工程とを有している。
【０００９】
これらの構成によれば、まず、平板部材で形成された鍵挿通用補助具の係入部を鍵挿通用環体の端部に係入する。そして、鍵挿通用補助具を反転操作したとき、溝部に対して鍵挿通用環体の一部が通過配置するように位置関係を調整する。次に、この位置関係及び状態で鍵挿通用補助具を回転補助面に沿って反転させる。すると、この鍵挿通用補助具の溝部開口を有する側とは反対側の回転補助面側部を支点にして鍵挿通用補助具が回転していく。このとき、鍵挿通用環体の端部は、徐々に開き、一旦、支点となっている前記回転補助面側部から前記溝部の略底面側までの距離分だけ大きく開いた後、係止部が鍵挿通用環体に係止配置される。このことにより、鍵挿通用環体の端部が所定量、開いた状態で保持される。
【００１０】
【発明の実施の形態】
以下、図面を参照して本発明の実施の形態を説明する。
図１ないし図８は本発明の一実施形態に係り、図１はキーホルダ及び鍵挿通用補助具を説明する斜視図、図２は鍵挿通用補助具を凹面側から見たときの斜視図、図３は鍵挿通用環体の端部に鍵挿通用補助具を配置する際の工程を説明する図、図４は鍵挿通用環体の端部を開状態にする際の反転工程及び開状態保持工程を説明する図、図５は鍵挿通用環体に鍵を挿通配置する工程及び鍵挿通用補助具をを鍵挿通用環体から取り外す工程を説明する図、図６は鍵挿通用環体の端部を開状態にする反転工程の他の例を説明する図、図７は鍵挿通用補助具の他の構成例を説明する斜視図、図８は鍵挿通用補助具の別の構成例を説明する斜視図である。
【００１１】
なお、図３（ａ）は鍵挿通用補助具の係入部と鍵挿通用環体の端部とを位置合わせしている状態を示す図、図３（ｂ）は鍵挿通用補助具の係入部を鍵挿通用環体の端部に係入させた状態を示す図、図３（ｃ）は鍵挿通用補助具を鍵挿通用環体に対して所定位置に配置した状態を示す図、図４（ａ）は鍵挿通用補助具を反転させている状態を示す図、図４（ｂ）は鍵挿通用補助具を回転させて端部を所定開状態にした状態を示す図、図５（ａ）は鍵挿通用環体の端部に鍵の取付け孔を配置させた状態を示す図、図５（ｂ）は鍵を鍵挿通用環体内に挿入配置していく状態を示す図、図５（ｃ）は鍵を鍵挿通用環体内に挿入配置して、鍵挿通用補助具を鍵挿通用環体から取りは外した状態を示す図、図６（ａ）は鍵挿通用補助具を鍵挿通用環体に対して所定位置に配置した状態を示す図、図６（ｂ）は鍵挿通用補助具を反転させている状態を示す図、図８（ａ）は把持部材を設けた鍵挿通用補助具を示す図、図８（ｂ）は鍵挿通用補助具を収納する凹部を設けた把持部材を示す図である
図１に示すように本実施形態の鍵挿通用補助具１０は、キーホルダー１に設けられている螺旋形状部材を密着させるように構成した２重リング状の鍵挿通用環体２に鍵３を挿通配置させたり、挿通配置されている鍵３を取り外す際に使用する。
【００１２】
図１及び図２に示すように前記鍵挿通用補助具１０は、例えば金属部材で形成されており、一端側に形成した前記鍵挿通用環体２の端部２ａにある隙間に係入配置される幅狭で例えば扁平肉薄に形成した係入部１１と、この係入部１１が係入配置された前記鍵挿通用環体２の端部２ａを所定の開き状態に保持する開状態保持部１２と、前記係入部１１の他端部側に設けられた把持部１３とで主に構成されている。
【００１３】
前記開状態保持部１２は、前記係入部１１を端部２ａに係入配置させた状態で鍵挿通用環体２に当接する凸状曲面（図１に示す状態で）を形成した回転補助面１４と、前記鍵挿通用環体２の一部が通過配置される所定形状の溝部１５と、前記鍵挿通用環体２に係止配置される係止部１６とで構成されている。
【００１４】
なお、符号１７は前記溝部１５に至る案内溝であり、前記鍵挿通用補助具１０を後述するように反転操作したとき、前記鍵挿通用環体２がスムースに前記溝部１５内に案内されるように所定の傾斜角度で斜めに形成されている。また、前記鍵挿通用補助具１０は全体的に、前記回転補助面１４の曲面形状に一致した曲面形状で形成されている。
【００１５】
上述のように構成した鍵挿通用補助具１０の作用を具体的に説明する。
まず、図３（ａ）に示すように鍵挿通用補助具１０の係入部１１を鍵挿通用環体２の端部２ａに対向させ、前記係入部１１を前記端部２ａに形成されている隙間２ｂにあてがう。そして、図３（ｂ）に示すように前記係入部１１を前記端部２ａに差し込み、引き続き、図３（ｃ）に示すように前記端部２ａと前記溝部１５とが対向する位置関係になるまで係入部１１を差し込んでいく。
このことによって、前記回転補助面１４が鍵挿通用環体２の端部付近に配置されて、前記端部２ａが元の状態に比べて僅かに開いた状態になる。
【００１６】
次に、図３（ｃ）に示すように配置されていた鍵挿通用補助具１０を、図４（ａ）の矢印Ａに示すように反転操作する。すると、前記回転補助面１４に沿わって回転した後、鍵挿通用補助具１０の案内溝１７の開口とは反対側の回転補助面側部１４ａを支点に回転していく。この鍵挿通用補助具１０の回転に伴って、前記端部２ａは、徐々に開き、一旦、支点となっている前記回転補助面側部１４ａから前記溝部略底面１５ａ側までの距離（図１及び図２のＬ参照）分だけ大きく開状態（図４（ａ）中のＢ参照）になった後、反転して、図４（ｂ）に示すように前記鍵挿通用補助具１０の係止部１６が鍵挿通用環体２に当接して係止状態になる。このことによって、前記端部２ａは所定量の開状態で安定的に保持される。この開状態は前記開状態Ｂよりは幅狭である。
【００１７】
次いで、図５（ａ）に示すように前記鍵挿通用環体２の端部２ａに前記鍵３の取付け孔３ａを位置合わせし、この鍵３の鍵挿通用環体２への取付けを開始する。このとき、例えば図５（ｂ）に示すように前記鍵挿通用環体２を矢印Ｃに示すように回転させる。このことによって、鍵３は中側へと移動していく。このとき、前記鍵３と前記鍵挿通用補助具１０とを略一体にして移動させていく。そして、前記鍵３を鍵挿通用環体２の所定位置まで移動させることによって、図５（ｃ）に示すように鍵３の鍵挿通用環体２への挿通配置が完了する。このとき、前記鍵挿通用補助具１０を案内溝１７を介して鍵挿通用環体２から取り外す。
【００１８】
一方、前記鍵挿通用環体２に挿通配置されている鍵３を取り外す際には、前記鍵挿通用補助具１０を図４（ｂ）に示す状態にし、この鍵挿通用環体２に挿通配置されている鍵３を端部２ａと鍵挿通用環体２との間に配置し、その状態で、前記鍵挿通用環体２を回転させて鍵３を鍵挿通用環体２の外へ移動させる。
【００１９】
前記鍵３の鍵挿通用環体２に対する着脱を行うと、前記端部２ａは、閉状態から一旦最大開状態になり、その後、所定の開状態に保持され、再び閉状態に変化する。本実施形態においては、鍵３の着脱を行った後、前記端部２ａが元の密着状態に確実に復元するように、前記回転補助面１４の回転補助面側部１４ａから前記溝部１５の溝部略底面１５ａまでの距離（Ｌ）及びこの溝部１５の幅寸法や凸状曲面の曲率を所定の寸法にして、最大開状態及び開状態保持状態の開き量を設定している。
【００２０】
そして、前記鍵３に設けられている取り付け孔３ｂ（図１参照）の位置が鍵端部３ｃ（図１参照）から離れている場合には、鍵挿通用環体２の端部２ａの開状態を最大開状態にして鍵３の着脱を行うとよい。
【００２１】
このように、係入部及び開状態保持部を設けた鍵挿通用補助具を、鍵挿通用環体の端部に配置させて反転操作することによって、鍵挿通用環体の端部を所定の開状態に保持して鍵の着脱を行うことによって、鍵挿通用環体や爪等を傷つけることなく、２重リング状の鍵挿通用環体への鍵の着脱を容易に行うことができる。
【００２２】
また、鍵挿通用環体の端部の開状態を、回転補助面側部から溝部の溝部略底面までの距離及び溝部の幅寸法、凸状曲面の曲率を考慮して設定することによって、鍵の着脱を行った後、鍵挿通用環体の端部が変形することを確実に防止することができる。
【００２３】
なお、本実施形態においては、前記鍵挿通用補助具１０を右手で把持して、図３（ｂ）に示すように端部２ａの隙間に係入部１１を差し込むと説明したが、図６（ａ）及び図６（ｂ）に示すように鍵挿通用補助具１０を左手で把持して端部２ａの隙間に係入部１１を差し込んだ後、矢印Ｃに示すように鍵挿通用補助具１０を反転させてこの鍵挿通用補助具１０の係止部１６を鍵挿通用環体２に当接させるようにしても、前記端部２ａが所定の開状態で安定的に保持される。
【００２４】
また、前記鍵挿通用補助具１０は図に示した構成に限定されるものではなく、図７に示すように前記開状態保持部１２を上述とは対称な位置関係にして前記鍵挿通用補助具１０Ａを形成するようにしてもよい。
さらに、本実施形態においては前記鍵挿通用補助具１０に把持部１３を設ける構成にしているが、図８（ａ）に示すように別体の把持部材４を前記鍵挿通用補助具１０の基端部に一体に固定したり、図８（ｂ）に示すように把持部材４Ａに凹部４ａを設けこの凹部４ａに前記鍵挿通用補助具１０Ａを収納可能に構成するようにしてもよい。この凹部４ａを設けて収納可能にしたタイプの場合には、前記鍵挿通用補助具１０を前記把持部材４Ａに対して矢印Ｄに示すように回動自在にしておく。このことによって、必要に応じて前記鍵挿通用補助具１０を把持部材４Ａの凹部４ａから取り出して鍵３の鍵挿通用環体１０への取付けを行える。
【００２５】
又、前記キーホルダー１に設けられている２重リング状の鍵挿通用環体２の螺旋形状部材の螺旋形状は図に示す螺旋方向に限定されるものではなく、図とは逆方向の螺旋形状を有する鍵挿通用環体であってもよく、そのような構成の鍵挿通用環体に対しても前記挿通用補助具１０，１０Ａは同様の作用及び効果を有する。
【００２６】
尚、本発明は、以上述べた実施形態のみに限定されるものではなく、発明の要旨を逸脱しない範囲で種々変形実施可能である。
【００２７】
【発明の効果】
以上説明したように本発明によれば、２重リング状の鍵挿通用環体への鍵の取付け、及びこの鍵挿通用環体からの鍵の取り外しを、鍵挿通用環体を傷つけることなく容易に行える鍵挿通用補助具及びその鍵挿通用補助具を用いた鍵の着脱方法を提供することができる。
【図面の簡単な説明】
【図１】キーホルダ及び鍵挿通用補助具を説明する斜視図
【図２】鍵挿通用補助具を凹面側から見たときの斜視図
【図３】鍵挿通用環体の端部に鍵挿通用補助具を配置する際の工程を説明する図
【図４】鍵挿通用環体の端部を開状態にする際の反転工程及び開状態保持工程を説明する図
【図５】鍵挿通用環体に鍵を挿通配置する工程及び鍵挿通用補助具をを鍵挿通用環体から取り外す工程を説明する図
【図６】鍵挿通用環体の端部を開状態にする反転工程の他の例を説明する図
【図７】鍵挿通用補助具の他の構成例を説明する斜視図
【図８】鍵挿通用補助具の別の構成例を説明する斜視図
【符号の説明】
１…キーホルダ
２…鍵挿通用環体
１０…鍵挿通用補助具
１１…係入部
１２…開状態保持部
１４…回転補助面
１５…溝部
１６…係止部
【図１】
0003737450.tif 000002
【図２】
0003737450.tif 000003
【図３】
0003737450.tif 000004
【図４】
0003737450.tif 000005
【図５】
0003737450.tif 000006
【図６】
0003737450.tif 000007
【図７】
0003737450.tif 000008
【図８】
0003737450.tif 000009